(57)【要約】【課題】冷蔵庫２２や冷凍庫２１等の冷却機器、エアコン等の冷暖房機器、保温機や加温器などの温熱機器が設置された店舗で省エネルギー、低コスト、小型化を図り、小規模店舗にも採用できる店舗用空調装置を提供する。【解決手段】店舗用空調装置１は、冷蔵庫２２・冷凍庫２１・エアコンなどの温度調整を要する店舗用設備２０の中で最も要求温度の低い設備に適合する低温空気を生成する。そして、その低温空気を店舗用設備２０に供給し、店舗内の室内空気との混合により店舗用設備２０の温度を各設備ごとに予め設定された要求温度にそれぞれ調整する。これにより、低温空気の生成を１箇所で集中して行い、低温空気の生成効率を高めるとともに、店舗用設備２０の簡素化及びコストの低減を図る。【選択図】  図１
2004211912.tif 000002
【特許請求の範囲】
【請求項１】
冷蔵庫・冷凍庫・エアコンなどの温度調整を要する店舗用設備の温度を各設備ごとに予め設定された要求温度にそれぞれ調整する店舗用空調装置において、
前記店舗用設備の中で最も要求温度の低い設備に適合する低温空気を生成する低温空気生成手段と、
前記店舗用設備に前記低温空気を供給して店舗内の室内空気との混合により前記店舗用設備の温度を要求温度に調整する温度調整手段と、
を有することを特徴とする店舗用空調装置。
【請求項２】
冷蔵庫・冷凍庫・エアコンなどの温度調整を要する店舗用設備の温度を各設備ごとに予め設定された要求温度にそれぞれ調整する店舗用空調装置において、
前記店舗用設備の中で最も要求温度の高い設備に適合する高温空気を生成する高温空気生成手段と、
前記店舗用設備に前記高温空気を供給して店舗内の室内空気との混合により前記店舗用設備の温度を要求温度に調整する温度調整手段と、
を有することを特徴とする店舗用空調装置。
【請求項３】
冷蔵庫・冷凍庫・エアコンなどの温度調整を要する店舗用設備の温度を各設備ごとに予め設定された要求温度にそれぞれ調整する店舗用空調装置において、
前記店舗用設備の中で最も要求温度の低い設備に適合する低温空気を生成する低温空気生成手段と、
前記店舗用設備の中で最も要求温度の高い設備に適合する高温空気を生成する高温空気生成手段と、
前記店舗用設備に前記高温空気と前記低温空気の少なくとも一方を供給して店舗内の室内空気との混合により前記店舗用設備の温度を要求温度に調整する温度調整手段と、
を有することを特徴とする店舗用空調装置。
【請求項４】
店舗外から空気を取り込み、該取り込んだ空気中の水分を除去してから前記低温空気生成手段に供給する除湿手段を有することを特徴とする請求項１または３に記載の店舗用空調装置。
【請求項５】
前記低温空気を前記低温空気生成手段から前記店舗用設備に供給すると共に、前記店舗用設備内の空気を前記低温空気生成手段に回収する低温空気循環通路を有し、
前記低温空気循環通路の上流側から下流側に向かって前記要求温度が漸次高くなる順番に前記各店舗用設備を接続したことを特徴とする請求項１、３、４のいずれかに記載の店舗用空調装置。
【請求項６】
店舗外から空気を取り込み、該取り込んだ空気中の水分を除去してから前記高温空気生成手段に供給する除湿手段を有することを特徴とする請求項２または３に記載の店舗用空調装置。
【請求項７】
前記高温空気を前記高温空気生成手段から前記店舗用設備に供給すると共に、前記店舗用設備内の空気を前記高温空気生成手段に回収する高温空気循環通路を有し、
前記高温空気循環通路の上流側から下流側に向かって前記要求温度が漸次低くなる順番に前記各店舗用設備を接続したことを特徴とする請求項２、３、６のいずれかに記載の店舗用空調装置。
【発明の詳細な説明】
【０００１】
【発明の属する技術分野】
本発明は、店舗用空調装置に関し、特に、冷蔵庫や冷凍庫等の冷却、室内空気の冷暖房、保温器や加温器等の加熱などの空気調和を一手に行うことを可能とした店舗用空調装置に関する。
【０００２】
【従来技術】
（従来技術１）
コンビニエンスストアやレストランなどの店舗には、冷蔵庫や冷凍庫等の冷却機器、エアコンなどの冷暖房機器が設置されている。これらの機器には、フロンガス等の熱冷媒を凝縮して冷却するためのコンプレッサが各々設けられており、各機器ごとにコンプレッサを駆動して要求温度に調整する制御を行っている。また、上記店舗には保温器やフライヤなどの加熱機器が設置されている。これらの機器には、電気やガスによって加熱する加熱手段が各々設けられており、各機器ごとに加熱手段を駆動して個々に要求温度に調整する制御を行っている。このように、従来は、各機器ごとに電気エネルギーを熱エネルギーに変換していた。
【０００３】
（従来技術２）
コンビニエンスストアなどの店舗に小容量のショーケースを複数台設置し、各ショーケースを冷媒配管で直列に接続し、店舗外に設置された１台のコンプレッサで冷媒を凝縮して各ショーケースに供給し冷却する空調システムが提案されている（例えば、特許文献１）。
【０００４】
【特許文献１】
特開平８−２７１０６３号公報
【０００５】
【発明が解決しようとする課題】
しかしながら、従来技術１の場合、各機器ごとに電気エネルギーから熱エネルギーへの変換を行っていたことから、変換効率が悪く、店舗全体の総消費電力が大きく、経済性が悪いという問題がある。特に近年、地球温暖化現象を防ぐ目的から二酸化炭素の排出量を規制する動きが高まっており、消費電力が大きい機器を使用することが困難な状況となっている。
【０００６】
また、各機器ごとに電気エネルギーを熱エネルギーに変換する装置を必要とすることから、機器全体が大型化し、設置場所が制限されるという問題がある。特に、コンビニエンスストアなどの比較的小規模な店舗では、店舗内が狭く、設置可能な場所が限られており、機器を小型化して少しでもスペースを広く確保することが望まれている。
【０００７】
従来技術２の場合、各ショーケースを冷媒配管で接続するので、冷媒配管の配管距離が長くなりかつ冷媒配管を接続する箇所の数が多くなり、冷媒が冷媒配管から外部に漏れ出るおそれがある。冷媒の漏れは、空調装置の冷却能力を極端に低下させ、商品の適温な保存を困難にする。
【０００８】
本発明は、上述の点に鑑みてなされたものであり、冷蔵庫や冷凍庫等の冷却機器、エアコン等の冷暖房機器、保温機や加温器などの加熱機器が設置された店舗において、効果的に温度調整を行うことにより、省エネルギー、低コスト、小型化を図り、小規模店舗にも採用できる店舗用空調装置を提供することにある。
【０００９】
【課題を解決するための手段】
上記課題を解決する請求項１に記載の発明は、冷蔵庫・冷凍庫・エアコンなどの温度調整を要する店舗用設備の温度を各設備ごとに予め設定された要求温度にそれぞれ調整する店舗用空調装置において、店舗用設備の中で最も要求温度の低い設備に適合する低温空気を生成する低温空気生成手段と、店舗用設備に低温空気を供給して店舗内の室内空気との混合により店舗用設備の温度を要求温度に調整する温度調整手段とを有することを特徴とする。
【００１０】
この発明によると、店舗用設備の中で最も要求温度の低い設備に適合する低温空気を生成し、その低温空気を店舗用設備に供給して店舗内の室内空気との混合により店舗用設備の温度を要求温度に調整するので、従来は各機器ごとに行っていた低温空気の生成を、１箇所で集中して行うことができ、その生成効率を高めることができる。また、各設備にそれぞれ低温空気を生成する設備を設ける必要がないので、店舗用設備の簡素化とコストの低減を図ることができる。
【００１１】
そしてまた、低温空気生成手段から店舗用設備には、冷媒ではなく、低温空気を供給するので、配管の途中で漏れても、冷媒のように装置全体の冷却能力が低下することがなく、商品を適切に保存することができる。したがって、冷媒の場合と比較して配管の敷設作業が容易であり、短時間で行うことができる。また、配管も冷媒用のものと比較して安価なものを使用できる。
【００１２】
請求項２に記載の発明は、冷蔵庫・冷凍庫・エアコンなどの温度調整を要する店舗用設備の温度を各設備ごとに予め設定された要求温度にそれぞれ調整する店舗用空調装置において、店舗用設備の中で最も要求温度の高い設備に適合する高温空気を生成する高温空気生成手段と、店舗用設備に高温空気を供給して店舗内の室内空気との混合により店舗用設備の温度を要求温度に調整する温度調整手段と、を有することを特徴とする。
【００１３】
この発明によると、店舗用設備の中で最も要求温度の高い設備に適合する高温空気を生成し、その高温空気を店舗用設備に供給して店舗内の室内空気との混合により店舗用設備の温度を要求温度に調整するので、従来は各機器ごとに行っていた電気エネルギーから熱エネルギーへの変換を１箇所で集中して行うことができ、変換効率を高めることができる。また、各設備にそれぞれ加熱手段を設ける必要がないので、店舗用設備のコストを低減することができる。
【００１４】
請求項３に記載の発明は、冷蔵庫・冷凍庫・エアコンなどの温度調整を要する店舗用設備の温度を各設備ごとに予め設定された要求温度にそれぞれ調整する店舗用空調装置において、店舗用設備の中で最も要求温度の低い設備に適合する低温空気を生成する低温空気生成手段と、店舗用設備の中で最も要求温度の高い設備に適合する高温空気を生成する高温空気生成手段と、店舗用設備に高温空気と低温空気の少なくとも一方を供給して店舗内の室内空気との混合により店舗用設備の温度を要求温度に調整する温度調整手段と、を有することを特徴とする。
【００１５】
この発明によると、店舗用設備の中で最も要求温度の低い設備に適合する低温空気と、店舗用設備の中で最も要求温度の高い設備に適合する高温空気を生成する。そして、低温空気を店舗用設備に供給して店舗内の室内空気との混合により店舗用設備の温度を要求温度に調整するので、従来は各機器ごとに行っていた低温空気の生成を、１箇所で集中して行うことができ、その生成効率を高めることができる。また、各設備にそれぞれ低温空気を生成する設備を設ける必要がないので、店舗用設備の簡素化及びコストの低減を図ることができる。そして、低温空気生成手段から店舗用機器には、冷媒ではなく、低温空気を供給しているので、配管の途中で漏れても、冷媒のように装置全体の冷却能力が極端に低下することがなく、商品を適切に保存することができる。したがって、冷媒の場合と比較して配管の敷設作業が容易であり、短時間で行うことができる。また、配管も冷媒用のものと比較して安価なものを使用できる。
【００１６】
また、高温空気を店舗用設備に供給して店舗内の室内空気との混合により店舗用設備の温度を要求温度に調整するので、従来は各機器ごとに行っていた電気エネルギーから熱エネルギーへの変換を１箇所で集中して行うことができ、変換効率を高めることができる。また、各設備にそれぞれ加熱手段を設ける必要がないので、店舗用設備のコストを低減することができる。尚、上述の低温空気生成手段と高温空気生成手段は、１つの機械によって構成されていてもよい。
【００１７】
請求項４に記載の発明は、請求項１または２に記載の店舗用空調装置において、店舗外から空気を取り込み、その取り込んだ空気中の水分を除去してから低温空気生成手段に供給する除湿手段を有することを特徴とする。
【００１８】
この発明によると、店舗外から空気を取り込み、その取り込んだ空気中の水分を除去してから低温空気生成手段に供給するので、低温空気生成手段では、空気中の水分に熱を奪われることなく、少ないエネルギで空気の温度を下げることができる。したがって、各店舗用設備の温度調整を効果的に行うことができ、省エネルギ化を図ることができる。また、低温空気生成手段も小出力のものでよく、装置全体の小型化を図ることができ、小規模店舗に採用することができる。
【００１９】
請求項５に記載の発明は、請求項１、３、４のいずれかに記載の店舗用空調装置において、低温空気を低温空気生成手段から店舗用設備に供給すると共に、店舗用設備内の空気を低温空気生成手段に回収する低温空気循環通路を有し、低温空気循環通路の上流側から下流側に向かって要求温度が漸次高くなる順番に各店舗用設備を接続したことを特徴とする。
【００２０】
この発明によると、低温空気を低温空気生成手段から店舗用設備に供給すると共に、店舗用設備内の空気を低温空気生成手段に回収する低温空気循環通路を有し、その上流側から下流側に向かって要求温度が漸次高くなる順番に各店舗用設備を接続したので、上流側から下流側に向かって低温空気の温度を順番に上昇させればよく、再度冷却する必要がない。したがって、最小のエネルギで各店舗用設備を要求温度に調整することができる。
【００２１】
請求項６に記載の発明は、請求項２または３に記載の店舗用空調装置において、高温空気を高温空気生成手段から店舗用設備に供給すると共に、店舗用設備内の空気を高温空気生成手段に回収する高温空気循環通路を有し、高温空気循環通路の上流側から下流側に向かって要求温度が漸次低くなる順番に各店舗用設備を接続したことを特徴とする。
【００２２】
この発明によると、高温空気を高温空気生成手段から店舗用設備に供給すると共に、店舗用設備内の空気を高温空気生成手段に回収する高温空気循環通路を有し、その上流側から下流側に向かって要求温度が漸次低くなる順番に各店舗用設備を接続したので、上流側から下流側に向かって高温空気の温度を順番に下げればよく、再度加熱する必要がない。したがって、最小のエネルギで各店舗用設備を要求温度に調整することができる。
【００２３】
請求項７に記載の発明は、請求項２、３、６のいずれかに記載の店舗用空調装置において、店舗外から空気を取り込み、その取り込んだ空気中の水分を除去してから高温空気生成手段に供給する除湿手段を有することを特徴とする。
【００２４】
この発明によると、店舗外から空気を取り込み、その取り込んだ空気中の水分を除去してから高温空気生成手段に供給するので、高温空気生成手段では、空気中の水分に熱エネルギを奪われることなく、少ないエネルギで空気の温度を上昇させることができる。したがって、各店舗用設備の温度調整を効果的に行うことができ、省エネルギ化を図ることができる。また、高温空気生成手段も小出力のものでよく、装置全体の小型化を図ることができ、小規模店舗に採用することができる。
【００２５】
【発明の実施の形態】
次に、本発明の実施の形態について図に基づいて説明する。
【００２６】
本実施の形態では、店舗用空調装置１をコンビニエンスストアに適用した場合を例に説明する。図１は、本実施の形態を説明する概略図であり、図中で符号２は、マイクロガスタービン、符号３は、集中熱交換器である。マイクロガスタービン２は、灯油やガスなどの燃料を燃焼させて発電を行うものであり、本実施の形態では、約１０Ｋｗｈの電力を出力できるものが使用されている。このマイクロガスタービン２で発電した電力は、電力エネルギーを消費する店舗内設備１０である照明手段１１、各機器の送風機１２、電子レンジ１３、ＩＴ機器１４などに使用される。
【００２７】
マイクロガスタービン２の排気ガスは、摂氏約２５０度で約１５０００ＫＣａｌ／ｈの熱エネルギを有している。集中熱交換機３は、このマイクロガスタービン２から排出される排気ガスの熱、いわゆる排熱を利用して摂氏約マイナス１８度の低温空気を生成する（低温空気生成手段）と共に、摂氏約２００度の高温空気を生成する（高温空気生成手段）。ここで、摂氏約マイナス１８度は、熱エネルギーを消費する店舗用設備２０の中で最も要求温度の低い設備に適合する温度であり、摂氏約２００度は、最も要求温度の高い設備に適合する温度である。
【００２８】
また、集中熱交換機３は、コンビニエンスストアの店舗外から取り込んだ空気中の湿気を取り除く除湿機能（除湿手段）を有しており、この除湿した空気から低温空気と高温空気を生成する。これにより、空気中の水分に熱エネルギが奪われるのを抑制し、より少ないエネルギで空気の温度を上昇或いは下降させ、その温度調整を効果的に行い、省エネルギ化を図る。そして、集中熱交換器３の小出力化による装置全体の小型化を図り、小規模店舗への採用を可能とする。集中熱交換機３で生成された低温空気と高温空気は、それぞれ低温空気循環通路３１と高温空気循環通路３２を介して、店舗用設備２０に供給される。
【００２９】
低温空気循環通路３１は、低温空気を集中熱交換器３から店舗用設備２０に供給すると共に、店舗用設備２０内の空気を集中熱交換機３に回収するものであり、上流側から下流側に向かって複数の店舗用設備２０が接続されている。各店舗用設備２０は、その要求温度が漸次高くなる順番に接続配管されており、冷凍庫２１、冷蔵庫２２、オープンケース２３、冷暖房用エアコン２４の順番で接続されている。尚、本実施の形態では、冷凍庫２１は、摂氏約マイナス１８度、冷蔵庫２２は、摂氏約４度、オープンケース２３は摂氏約１８度、冷暖房用エアコン２４は、夏季に摂氏２８度、冬季に摂氏１８度の要求温度がそれぞれ設定されている。
【００３０】
また、これらの店舗用設備２０と低温空気循環通路３１との間には、開閉弁２７（温度調整手段）が設けられており、この開閉弁２７の開度を制御することによって店舗用設備２０に供給される低温空気の量を調整することができるように構成されている。
【００３１】
このように、低温空気循環通路３１に対して、その上流側から下流側に向かって要求温度が漸次高くなる順番に店舗用設備２０を接続したので、上流側から下流側に移行するにしたがって低温空気の温度を漸次上昇させるだけでよく、その途中で再度冷却する必要がない。したがって、最小のエネルギで店舗用設備２０を要求温度に調整することができ、省エネルギ化を図ることができる。
【００３２】
また、高温空気循環通路３２は、高温空気を集中熱交換器３から店舗用設備２０に供給すると共に、店舗用設備２０内の空気を集中熱交換機３に回収するものであり、その上流側から下流側に向かって複数の店舗用設備２０が接続されている。各店舗用設備２０は、その要求温度が漸次低くなる順番に接続配管されており、フライヤー２５、温熱機器２６、冷暖房用エアコン２４の順番で接続されている。尚、本実施の形態では、フライヤーは摂氏約２００度、温熱機器は摂氏約７０度の要求温度が設定されている。
【００３３】
また、これらの店舗用設備２０と高温空気循環通路３２との間には、開閉弁２８（温度調整手段）が設けられており、この開閉弁の開度を制御することによって店舗用設備２０に供給される高温空気を調整することができるように構成されている。
【００３４】
このように、高温空気循環通路３２に対して、その上流側から下流側に向かって要求温度が漸次低くなる順番に各店舗用設備２０を接続したので、上流側から下流側に移行するにしたがって高温空気の温度を漸次下げるだけでよく、その途中で再度加熱する必要がない。したがって、最小のエネルギで各店舗用設備２０を要求温度に調整することができ、省エネルギ化を図ることができる。
【００３５】
次に、上記構成を有する店舗用空調装置１による空調方法について以下に説明する。まず最初に、マイクロガスタービン２の運転を開始し、発電を行う。この発電により生成した電力（約１０Ｋｗｈ）は、照明１１、各機器の送風機１２、電子レンジ１３、ＩＴ機器１４等の店舗用設備１０に供給され消費される。
【００３６】
そして、マイクロガスタービン２の運転により排出された排気ガスは、集中熱交換機３に送られ、集中熱交換機３では、その排熱（摂氏約２５０度、１５０００ＫＣａｌ/ｈ）を利用して低温空気（摂氏約マイナス１８度）と高温空気（摂氏約２００度）が生成される。
【００３７】
ここで、低温空気は、コンビニエンスストアの店舗外から取り込んだ空気を除湿し、その除湿した空気を用いて生成される。そして、低温空気循環通路３１に導入され、図示していない送風ファンによって上流側から下流側に向かって送られる。
【００３８】
低温空気は、低温空気循環通路３１内を下流に向かって送られると、まず１番目に、冷凍庫２１に供給される。冷凍庫２１の庫内は、要求温度が摂氏約マイナス１８度に設定されているので、庫内が摂氏約マイナス１８度になるように、低温空気循環通路３１から冷凍庫２１の庫内に流入される低温空気の流入量を調整する。この調整は、低温空気循環通路３１と冷凍庫２１との間に設けられた開閉弁２７ａの開度を調整することによって行われる。これにより、冷凍庫２１の庫内に低温空気が流入し、要求温度に調整する。そして、庫内の冷凍食品、アイスクリーム、氷を冷却した後、再び庫内から低温空気循環通路３１に回収される。
【００３９】
この回収した空気を含む低温空気は、次いで２番目に、低温空気循環通路３１から冷蔵庫２２に供給される。冷蔵庫２２の庫内は、要求温度が摂氏約４度に設定されているので、庫内が摂氏約４度になるように、低温空気循環通路３１から冷蔵庫２２の庫内に流入される低温空気の流入量を調整する。流入量の調整は、低温空気循環通路３１と冷蔵庫２２との間に設けた開閉弁２７ｂの開度を調整することによって行われる。これにより、冷蔵庫２２の庫内に流入した低温空気は、店舗内の室内空気と混合され、庫内の温度が要求温度に調整される。そして、冷蔵庫２２の庫内で、生鮮食品や、飲料水などを冷却した後、再び庫内から低温空気循環通路３１に回収される。
【００４０】
この回収した空気を含む低温空気は、次いで３番目に、低温空気循環通路３１からオープンケース２３に供給される。オープンケース２３のケース内は、要求温度が摂氏約１８度に設定されているので、ケース内が摂氏約１８度になるように、低温空気循環通路３１からオープンケース２３のケース内に流入される低温空気の流入量を調整する。流入量の調整は、低温空気循環通路３１とオープンケース２３との間に設けた開閉弁２７ｃの開度を調整することによって行われる。これにより、オープンケース２３のケース内に流入した低温空気は、店舗内の室内空気と混合され、ケース内の温度が要求温度に調整される。そして、オープンケース２３内でお弁当などを冷却した後、再びケース内から低温空気循環通路３１に回収される。
【００４１】
この回収した空気を含む低温空気は、次いで４番目に、低温空気循環通路３１から店舗内に流入する。店舗内の室温は、要求温度が夏季では摂氏２８度に設定されているので、この要求温度になるように、低温空気循環通路３１から店舗内に流入される低温空気の流入量を調整する。流入量の調整は、低温空気循環通路３１と店舗内との間に設けた開閉弁２７ｄの開度を調整することによって行われる。これにより、店舗内に流入した低温空気が店舗内の室内空気と混合され、店舗の室温が要求温度に調整される。そして、室温を調整した後、再び低温循環通路３１に回収される。
【００４２】
店舗内から低温空気循環通路３１に回収された空気は、集中熱交換機３に戻され、再び集中熱交換機３によって、熱エネルギーを消費する店舗用設備２０の中で最も要求温度の低い設備に適合する温度である摂氏約マイナス１８度まで低下され、低温空気循環通路３１に戻される。
【００４３】
一方、高温空気は、高温空気循環通路に導入され、図示していない送風ファンによって上流側から下流側に向かって送られる。高温空気は、高温空気循環通路３２内を下流に向かって送られると、まず１番目に揚げ物用の調理器具であるフライヤに供給される。フライヤは、要求温度が摂氏約２００度に設定されているので、この要求温度となるように、高温空気循環通路３２からフライヤに流入される高温空気の流入量を調整する。流入量の調整は、高温空気循環通路３２とフライヤ２５との間に設けられた開閉弁２８ａの開度を調整することによって行われる。これにより、フライヤは、要求温度である摂氏約２００度まで加熱され、調理を行うことができる。フライヤを加熱した高温空気は、再び高温空気循環通路に回収される。
【００４４】
この回収した空気を含む高温空気は、次いで２番目に、高温空気循環通路３２から温熱機器２６に供給される。温熱機器２６は、要求温度が摂氏約７０度に設定されているので、要求温度になるように、高温空気循環通路３２から温熱機器２６に流入される高温空気の流入量を調整する。流入量の調整は、高温空気循環通路３２と温熱機器２６との間に設けた開閉弁２８ｂの開度を調整することによって行われる。これにより、温熱機器の温度は、要求温度に調整される。そして、缶ジュースや食料品を加熱保温した後、再び高温空気循環通路３２に回収される。
【００４５】
この回収した空気を含む高温空気は、次いで３番目に、高温空気循環通路３２から店舗内に流入する。店舗内の室温は、要求温度が冬季では摂氏１８度に設定されているので、この要求温度になるように、高温空気循環通路３２から店舗内に流入される高温空気の流入量を調整する。流入量の調整は、高温空気循環通路３２と店舗内との間に設けた開閉弁２８ｃの開度を調整することによって行われる。これにより、店舗内に流入した高温空気は、店舗内の室内空気と混合され、店舗の室温を要求温度に調整した後、再び高温循環通路３２に回収される。
【００４６】
高温空気循環通路３２に回収された空気は、集中熱交換機３に戻され、再び集中熱交換機３によって、熱エネルギーを消費する店舗用設備の中で最も要求温度の高い設備に適合する温度である摂氏２００度まで上昇され、高温空気循環通路３２に戻される。
【００４７】
上記店舗用空調装置によれば、熱エネルギーを消費する店舗用設備２０の中で最も要求温度の低い冷凍庫２１に適合する低温空気を生成し、その低温空気を各店舗用設備２０に供給して店舗内の室内空気との混合により各店舗用設備の温度を要求温度に調整するので、低温空気の生成を集中熱交換機３で集中して行うことができ、その生成効率を高めることができる。また、各店舗用設備にそれぞれ低温空気を生成する機構を設ける必要がないので、店舗用設備の簡素化とコストの低減を図ることができる。
【００４８】
そしてまた、集中熱交換機３から冷蔵庫や冷凍庫などには冷媒ではなく、低温空気を供給しているので、低温空気循環通路３１の途中で漏れても、冷媒のように装置全体の冷却能力が低下するおそれがなく、商品を適切に保存することができる。したがって、冷媒の場合と比較して低温空気循環通路３１用の配管敷設作業が容易であり、短時間で行うことができる。また、使用配管も冷媒用のものと比較して安価なものを使用でき、コストの低減を図ることができる。
【００４９】
また、高温空気を店舗用設備に供給して店舗内の室内空気との混合により店舗用設備の温度を要求温度に調整するので、従来は各機器ごとに電気エネルギーから熱エネルギーへの変換を行っていたが、これを集中熱交換機１箇所で高温空気を生成して、各店舗用設備に供給することにより、変換効率を高めることができる。また、各店舗用設備にそれぞれ加熱手段を設ける必要がないので、店舗用設備のコストを低減することができるという効果も有する。
【００５０】
そして、店舗外から取り込んだ空気中の水分を除去してから低温空気と高温空気を生成するので、空気中の水分に熱を奪われることなく、少ないエネルギで空気の温度を上昇或いは下降させることができる。したがって、店舗用設備２０の温度調整を効果的に行うことができ、省エネルギ化を図ることができる。また、集中熱交換機３も小出力のものを使用することができるので、装置全体の小型化を図ることができ、小規模店舗に採用することができる。また、水分の除去により、冷蔵庫２２内における防露や、冷凍庫２１内における防霜を図ることができる。
【００５１】
尚、本発明は、上述の実施の形態に限定されるものではなく、本発明の趣旨を逸脱しない範囲で種々の変更が可能である。例えば、上述の実施の形態では、店舗内設備の温度を調整する方法として低温空気を店舗内の室内空気と混合する場合を例に説明したが、低温空気に高温空気を混合してもよい。
【００５２】
【発明の効果】
以上説明したように、本発明に係る店舗用空調装置によれば、店舗用設備の中で最も要求温度の低い設備に適合する低温空気を生成し、その低温空気を店舗用設備に供給して店舗内の室内空気との混合により店舗用設備の温度を要求温度に調整するので、低温空気の生成を１箇所で集中して行うことができ、生成効率を高めることができる。また、各設備にそれぞれ低温空気を生成する設備を設ける必要がないので、店舗用設備の簡素化及びコストの低減を図ることができる。
【図面の簡単な説明】
【図１】本実施の形態を説明する概略図である。
【符号の説明】
１  店舗用空調装置
２  マイクロガスタービン
３  集中熱交換機
２０  店舗用機器
２１  冷凍庫
２２  冷蔵庫
２３  オープンケース
２４  冷暖房用エアコン
２５  フライヤ
２６  温熱機器
２７  低温空気用開閉弁（温度調整手段）
２８  高温空気用開閉弁（温度調整手段）
３１  低温空気循環通路
３２  高温空気循環通路
【図１】
2004211912.tif 000003